(57)【要約】  本発明は、少なくとも１つの第１の電気的構成部品（５１）と少なくとも１つの第２の電気的構成部品（５２、５３）との間に電気的接触を形成するための接触装置（２）に関するものであって、接触装置は第１の接触領域（２１）とそれから離隔した第２の接触領域（２２）とを有している。
2017514272.tif 000002
【特許請求の範囲】
【請求項１】
−第１の接触領域（２１）と、
−それから離隔した第２の接触領域（２２）と、
を有し、
少なくとも１つの第１の電気的構成部品（５１）と少なくとも１つの第２の電気的構成部品（５２、５３）との間に電気的接触を形成するための接触装置（２）。
【請求項２】
前記第１の接触領域（２１）が、前記第２の接触領域（２２）に対して自らの位置に自己支持するように保持されている、ことを特徴とする請求項１に記載の接触装置（２）。
【請求項３】
前記第１の接触領域（２１）が前記第２の接触領域（２２）に対して少なくとも遊び方向（ｚ）に移動可能である、ことを特徴とする請求項２に記載の接触装置（２）。
【請求項４】
前記第１の接触領域（２１）が第１の平面上に位置し、
前記第２の接触領域（２２）が第２の平面上に位置し、かつ
前記第１の平面と前記第２の平面とが遊び方向（ｚ）に関して互いに異なる高さに位置し、かつ／又は
前記第１の平面と前記第２の平面とが互いに対して傾斜して配置されている、
ことを特徴とする請求項１から３のいずれか１項に記載の接触装置（２）。
【請求項５】
前記第１の接触領域（２１）と前記第２の接触領域（２２）とが互いに対して少なくとも部分的に重なり合い（遊び方向（ｚ）から上面で見て）、かつ
前記第１の接触領域（２１）と前記第２の接触領域（２２）とを互いに結合する移行領域（２３）が、前記接触装置（２）を全体として少なくとも１５０°転回させる、ことを特徴とする請求項１から４のいずれか１項に記載の接触装置（２）。
【請求項６】
少なくとも１つの接触装置（２）と少なくとも１つの支持体（３）とを有する電気的接続装置（１）。
【請求項７】
前記接触装置（２）が、少なくとも遊び方向（ｚ）において遊びをもって移動可能に前記支持体（３）に、あるいは前記支持体（３）内に支承されている、ことを特徴とする請求項６に記載の接続装置（１）。
【請求項８】
前記接続装置（１）が、少なくとも２つの接触装置（２）を有しており、前記接触装置が１つ以上の第１の構成部品（５１）を、１つ以上の第２の構成部品（５２、５３）の少なくとも２つの接触箇所（３０）と接続し、
前記２つの接触箇所（３０）の各々がそれぞれ前記２つの接触装置（２）の各々に対応づけられており、
前記２つの接触箇所（３０）が互いに対して同種の接触領域（２１、２２）に対応づけられており、かつ
前記２つの接触箇所（３０）が、許容誤差を補償するために、遊び方向（ｚ）に関して互いに異なる水準に配置可能である、
ことを特徴とする請求項６又は７に記載の接続装置（１）。
【発明の詳細な説明】
【技術分野】
【０００１】
本発明は、請求項１の前文に記載された電気的接触装置及びそれによって形成される、請求項１の前文に記載された接続装置１に関する。
【背景技術】
【０００２】
多数の電気的構成部品を、高い電流容量、確実な接触、簡単な取り付け及び低い製品コストができる限り同時に与えられるように互いに接続することは、困難である。
【発明の概要】
【発明が解決しようとする課題】
【０００３】
本発明は、それに寄与しようとしている。そのために、請求項及び以下の説明に記載の接続装置と接触装置が提案される。
【課題を解決するための手段】
【０００４】
本発明の一態様の電気的接触装置は、第１の接触領域と、それから離隔した第２の接触領域と、を有し、少なくとも１つの第１の電気的構成部品と少なくとも１つの第２の電気的構成部品との間に電気的接触を形成する。
【０００５】
また、本発明の一態様の電気的接続装置は、少なくとも１つの接触装置と、少なくとも１つの支持体とを有する。
【０００６】
以下、本発明の詳細を説明する。実施例は、本発明を理解させるものである。しかしそれらは例としての特徴しか持たない。もちろん、独立請求項によって定義される本発明の枠内で、説明される個々の、あるいは複数の特徴は省かれ、変更され、あるいは補足される。様々な実施形態の特徴を互いに組み合わせることも、もちろん可能である。重要なことは、本発明のコンセプトが実質的に具現化されることである。１つの特徴が少なくとも部分的に満たされている場合には、この特徴が完全に満たされていること、あるいは実質的に完全に満たされていることが含まれる。その場合に「実質的に」というのは、特に、具現化が所望の利用の実現を認識可能な程度に許すことを意味している。これは特に、然るべき特徴が少なくとも５０％、９０％、９５％あるいは９９％満たされていることを意味することができる。最小量が記載されている場合には、この最小量よりも多く使用できることも、もちろんである。構成部品の数が少なくとも１つと記載されている場合に、これは特に、２つ、３つあるいはその他多数の構成部品を有する実施形態も、含んでいる。１つの対象について記述されていることは、他の同種の対象の圧倒的部分又は全体にも適用することができる。異なる記載がない限りにおいて、インターバルはその周辺点も一緒に含んでいる。「１（Ein/e/s）」は、以下においては不定冠詞を表し、「唯一」又は「少なくとも１つ」を意味することもできる。以下において図を参照する：
【図面の簡単な説明】
【０００７】
【図１】支持体３内に多数の接触装置２を有する電気的な接続装置１を示す斜視図である。
【図２】接触装置２と支持体３の固定を示す、詳細な斜視図である。
【発明を実施するための形態】
【０００８】
本発明は、以下の構成部品の少なくとも１つを有している。構成部品の少なくとも１つは、特性の１つ又は複数を有しており、それらがここでは「好ましくは」と記載されている。
【０００９】
接続装置１が設けられている。接続装置１は、２つ以上の電気的構成部品を接続する。接続装置は、好ましくは第１の種類の１つ又は複数の電気的構成部品を、第２の種類の１つ又は複数の電気的構成部品と接続する。好ましくは、接続装置１は、幾つかの電気的導体又はセンサを、幾つかのエレメンタルセル又は第２のグループの電気的導体と接続する。接続装置は、好ましくは、少なくとも１つの支持体３及び／又は少なくとも１つの接触装置２を有している。好ましくは、接続装置１は、多数の接触装置２を有しており、それらは１列又は複数列をなして互いに相前後して配置されている。接続装置は、好ましくはフラットな、たとえばプレートのような、矩形の形状を有している。接続装置１は、たとえば車両バッテリのカバーとすることができる。
【００１０】
接触装置２は、第１の電気的構成部品５１と第２の電気的構成部品５２との間に電気的な接触を形成する。接触装置は、少なくとも部分的に電気的に導通する材料、たとえば金属、たとえばアルミニウム又は銅からなる。接触装置２は、たとえばシートから、打ち抜かれている。接触装置は、少なくとも第１の遊び方向（ｚ）に移動可能に支持体３内に支承されている。接触装置２は、少なくとも第２の方向（ｙ）において支持体３内で案内されて支承され、あるいは固定されている。接触装置は、摺動方向（ｘ）に沿って移動することによって支持体３内のその取り付け終端位置へ導入することができる。接触装置２は、たとえば刻印又は深絞りによってプロフィールを設けられている。好ましくは、接触装置２は自己支持し、すなわちたるんで曲がる構成部品ではない。さらに接触装置は、１つ又は複数の接触領域２１、２２又はこの種の接触領域２１、２２間の１つ又は複数の移行領域２３を有している。
【００１１】
支持体３は、好ましくはフレームとして形成されており、かつ少なくとも１つの接触装置２を支持している。支持体は、少なくとも１つの接触装置２において、好ましくは１つ又は複数の方向に移動遊び空間を固定し、案内し、あるいは制限する。好ましくは、少なくとも１つの接触装置２は、３つの次元の１つにおいて、他の２つの次元におけるよりもずっと大きい遊びを有している。支持体３は、好ましくは射出成形部品として形成されている。支持体は、好ましくは少なくとも部分的にプラスチック（たとえばポリプロピレン）、電気的に導通しない材料及び／又はセラミックからなる。支持体３は、好ましくは多数の接触装置２を支持している。好ましくは、多数の接触装置２が１列、２列、３列あるいはそれ以上の列をなして互いに並んで配置されている。支持体３は、ケーブルハーネスのケーブル又はワイヤを支持し、固定し、あるいは整理する。好ましくは、支持体３は、ガイド装置４、制限器５及び／又はロック装置６を有している。
【００１２】
ガイド装置４は、少なくとも１つの接触装置２を、その取り付け終端位置へ挿入する間案内する。ガイド装置４は、わずかな遊びとわずかな許容誤差をもって、Ｘ軸に沿って固定されたＹ位置に沿った確実な移動及び摺動を許す。ガイド装置は、接触装置２に密に添接する支持体３の壁によって形成されており、それらの壁は好ましくは摺動方向に対して平行かつ遊び方向に対して平行に延びている。ガイド装置４は、少なくとも遊び方向（ｚ）に対して垂直に方向付けされた第１の方向（ｙ）において、電気的接点もしくはそのために設けられている電気的な接続装置及び／又は溶接接点の機械的な負荷を除去する。
【００１３】
制限器５は、好ましくは支持体３を有する１つの片からなる。制限器は、支持体３内に接触装置を浮遊支承することを可能にするために、遊び方向（ｚ）における接触装置２の遊びを制限する。支持体３は、少なくとも１つのガイド装置４と共に溝を形成し、その溝内へ接触装置２を挿入することができる。好ましくは、取り付け終端位置における接触装置２の上方と下方に（遊び方向に対して）少なくとも１つの制限器５が設けられている。制限器５は、好ましくは突出部、舌片又はバーにより、かつ好ましくは支持体３と同一の材料から形成されている。制限器は、好ましくは挿入方向に対して接触装置よりも短く、好ましくはその挿入部分よりも短い。好ましくは、接触装置２の上方に位置する少なくとも１つの制限器５は、接触装置の下方に位置する制限器と重なる領域を持たない（遊び方向（ｚ）に沿って考えて。鋳造プロセスを簡単にする）。ｚ方向におけるこの遊びは、好ましくは０．５ｍｍと５ｍｍの間、好ましくは１と２ｍｍの間である。
【００１４】
ロック装置６は、支持体３内の取り付け終端位置内へ挿入した後に、接触装置２をロックし、したがって接触装置がこの位置から不用意に抜け落ちることを阻止する。ロック装置６は、たとえばロック装置６及び／又は接触装置２の弾性変位する支承によって、遊び方向（ｚ）における遊びを許す。ロック装置は、必要な場合には、たとえば接触装置２及び／又はロック装置６と、支持体３及び／又はロック装置６との間の相対摺動を許すことによって、残りの方向（ｘ、ｙ）における（比較的わずかな）遊びを許す。ロック装置６は、少なくとも部分的に接触装置２に配置することができる。ロック装置は、好ましくは少なくとも部分的に支持体３に配置されている。ロック装置６は、少なくとも遊び方向（ｚ）に対して垂直に方向付けされた第２の方向（ｘ）において、電気的接点もしくはそのために設けられている接続装置及び／又は溶接接点の機械的な負荷を除去する。ロック装置６は、少なくとも１つの係止装置６ａ及び／又は相手側片６ｂを有している。
【００１５】
係止装置６ａは、好ましくは支持体３に配置されている。係止装置は、好ましくはばね装置８を搭載しており、それによって、係止装置６ａが接触装置２に設けられた、対応する相手片６ｂ内へ嵌入することにより、接触装置２がその取り付け終端位置へ進入する場合に係止装置６ａを係止することができる。好ましくは、係止装置６ａは、少なくとも部分的に、支持体３と同じ材料からなる。係止装置は、好ましくは接触装置２を挿入することによって付勢される。係止装置６ａは、好ましくはフラットであり、かつ支持体平面に対して平行に方向付けされている。係止装置は、好ましくは支持体３を有する１つの片からなり、好ましくは、たとえば係止突片の形式の隆起部を有している。係止装置６ａは、相手片（図示せず）を収容することができるようにするために、凹部（図示せず）を有している。
【００１６】
第１の接触領域２１は接触装置２の、接触装置２が第１の電気的構成部品５１と電気的に接続される領域である。第１の接触領域は、好ましくは少なくとも部分的に平面的もしくはフラットであり、好ましくは平坦である。第１の接触領域２１は、好ましくは金属、特に銅又はアルミニウムからなる。第１の接触領域は、接触面２４、隆起部２４ａ、凹部２４ｂ及び／又は溶接通路７を有している。溶接通路７は、溶接工具のための、保持され、覆われた側から接触領域２１、２２への接近を許し、かつ切り欠きの形状を有している。溶接通路は、溶接ゾーン３１もしくは接触箇所３０を有している。
【００１７】
第２の接触領域２２は接触装置２の、接触装置２が他の電気的構成部品５２、５３と電気的に接続される領域である。第２の接触領域は、好ましくは少なくとも部分的に平面的、フラット及び／又は平坦に形成されている。第２の接触領域２２は、好ましくは第１の接触領域２１と同じ材料から、好ましくは一体的に形成されている。第２の接触領域は、接触箇所３０もしくは溶接ゾーン３２を有している。
【００１８】
移行領域２３が、第１の接触領域２１を第２の接触領域２２と結合する。移行領域は、好ましくは自己支持する構成部品として、したがってたるんで曲がったりしないように形成されている。好ましくは移行領域２３は、ばね弾性を有しており、それによって第１の接触領域２１が第２の接触領域２２に対して自立して可逆的に変位することが可能になる。移行領域２３は、好ましくは、第２の接触領域２２に対する第１の接触領域２１の自立的に復帰しない変位を可能にし、かつ第１の接触領域２１を永続的に、したがって時間的な制限なしでこの変位した位置に保持するために、好ましくは永続的に変形可能である。好ましくは、移行領域２３は、少なくとも部分的に平坦であり、かつ第１の接触領域２１に対し、かつ／又は第２の接触領域２２に対して、好ましくは両者に対して角度を有し、好ましくは逆回転方向に、好ましくは同一の傾斜角度を有している。移行領域２３は、好ましくは少なくとも部分的に湾曲しており、その場合に１回又は多数回曲げ半径を有し、好ましくは互いに逆の方向付けで少なくとも２つの湾曲を有している（図示せず）。移行領域は、２つの接触領域２１、２２の間の相対移動あるいは接触する構成部品の許容誤差の差を可逆的又は不可逆的に補償する。
【００１９】
接触面２４は、たとえばガイド装置４及び／又は制限器５によって、端縁領域内で側方の保持を可能にするために、好ましくは接触領域２１、２２の少なくとも１つの端縁から、好ましくはすべての端縁から離隔している。接触面は、好ましくは平坦であり、好ましくは溶接ゾーン３１、３２よりも大きい。接触面２４は、好ましくは端縁とは異なる高さ水準で、たとえば隆起部２４ａ及び／又は凹部２４ｂに配置されている。接触領域２１、２２のこのプロフィール化は、接触領域のより高い剛性をもたらす。接触面２４は、好ましくは接触領域２１、２２から刻印又は深絞りによって形成されている。接触面は、その端縁と共に円錐台、面取りしたピラミッドあるいは槽形状を形成する。隆起部２４ａ及び／又は凹部２４ｂは、係止装置６ａの相手片６ｂとして用いることができ、かつ接触装置２の正確な位置決めを可能にすることができる。
【００２０】
接触箇所３０は、接触面２４及び／又は接触領域２１、２２に設けられている。そこでは接触装置２が他の電気的構成部品５１、５２、５３と接触する。接触箇所３０は、好ましくは超音波、レーザー又は電流によって溶接されている。接触箇所は、付加オプションとして導通可能に接着されている。接触箇所３０は、電気的構成部品５１、５２、５３の位置決めをできるだけ簡単にするために、少なくとも２つの方向において接触面２４及び／又は接触領域２１、２２よりも小さい。接触箇所は、少なくとも１つの方向において、接触面２１もしくは接触領域２１、２２の寸法のそれぞれ最大で８０％、好ましくは最大で６０％の寸法を有している。それによって溶接領域が位置決め課題から切り離される。接触箇所３０は、溶接ゾーン３１、３２によって実現される。
【００２１】
好ましくは、第１の種類の電気的構成部品５１のグループが、他の種類の電気的構成部品５２のグループと電気的に接続されている。好ましくは接続装置１が、他の種類の少なくとも１つの構成部品５３に対する電気的な接続を形成する。好ましくは第２の種類の構成部品５２も、第３の種類の構成部品５３も、同種の接触装置２によって接触される（構造の簡略化と部品タイプの数の削減）。
【００２２】
第１の種類の電気的構成部品５１は、たとえば電流負荷、チャージステーション又はその接点ポール、電気的な制御装置又はその接続接点、接触ケーブルなどである。第２の種類の構成部品５２は、たとえばバッテリのエレメンタルセル、ペルティエ素子、ＰＴＣ加熱モジュール、ゼーベック素子、ＬＥＤランプ、表示パネル、カソードなどである。第３の種類の構成部品５３は、たとえば第２の種類の構成部品用のコントロールセンサ、第２の種類の構成部品に対して逆に駆動される、ゼーベック素子のような機能エレメント、アノード又はペルティエ素子、第２の種類の構成部品のための緩衝器（たとえばモータのための振動補償器）あるいはそのための調整又は制御装置である。
【００２３】
電気的構成部品というのは、特に以下のものである：
−ケーブル、ワイヤ、接触薄板、電極、リッツ線あるいは同種のもののような電気的導体、
−白熱球、電気モータ、チャージを必要とする電流貯蔵器、加熱装置などのような、電気的負荷、
−ジェネレータのような電流源、電気化学的な電圧源のようなチャージされる電流貯蔵器、アキュムレータなど
【００２４】
同一の種類の電気的構成部品というのは、その機能及び／又は作用が等しい、あるいは類似している幾つかの構成部品である。好ましくはその作用方法及び構造も同一又は類似している。
【００２５】
この接続装置は、好ましくは車両バッテリの多数のエレメンタルセルを、車両内の点灯用発電機及び／又は多数の電気的負荷と接続するために使用することができる。接触に用いられるケーブルは、好ましくは支持体３内で／支持体３において案内され、あるいはそこに挿入されている。
【符号の説明】
【００２６】
１  接続装置
２  接触装置
３  支持体
４  ガイド装置
５  制限器
６  ロック装置
６ａ  係止装置
６ｂ  相手片
７  溶接通路
８  ばね装置
２１、２２  接触領域
２３  移行領域
２４  接触面
２４ａ  隆起部
２４ｂ  凹部
３０  接触箇所
３１、３２  溶接ゾーン
５１、５２、５３  構成部品
（ｘ）  摺動方向
（ｙ）  第２の方向
（ｚ）  第１の遊び方向
【図１】
2017514272.tif 000003
【図２】
2017514272.tif 000004
【国際調査報告】
2017514272.tif 000005
2017514272.tif 000006
2017514272.tif 000007
2017514272.tif 000008
2017514272.tif 000009
2017514272.tif 000010